(57)【特許請求の範囲】
【請求項１】
ディスクテーブルに装着されるディスク状記録媒体の半径方向へ移動される移動ベースと、
前記移動ベースに配置された対物レンズ駆動装置とを備え、
前記対物レンズ駆動装置は、
前記移動ベースに固定された固定ブロックと、
二つの対物レンズと該二つの対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、
前記固定ブロックと前記可動ブロックを連結する複数の支持バネと、
前記可動ブロックを前記フォーカス方向又は前記トラッキング方向へ動作させる駆動用マグネットと、
前記駆動用マグネットに対向して位置され前記レンズホルダーに取り付けられた駆動用コイルとを備え、
前記二つの対物レンズは前記トラッキング方向に離隔した状態で前記レンズホルダーに保持され、
光源から出射されたレーザー光を前記二つの対物レンズにそれぞれ入射させるための二つの光路が形成され、
前記二つの対物レンズにそれぞれ前記レーザー光を折り曲げて入射させる立上ミラーを設け、
前記レンズホルダーに、前記レーザー光を立上ミラーへ入射させると共に少なくとも前記固定ブロックが位置する側と反対方向に開口された光路用開口を形成し、
前記二つの光路をそれぞれ通る各レーザー光が前記トラッキング方向に離隔した状態で前記光路用開口を通過して前記立上ミラーに入射され、
前記レンズホルダーに、前記可動ブロックの前記フォーカス方向への動作を規制すると共に前記立上ミラーに入射される二つのレーザー光の間に位置するストッパー突部を設け、
前記可動ブロックが前記フォーカス方向へ動作されたときに前記ストッパー突部に接触可能な被ストッパー部を設けた
光ピックアップ。
【請求項２】
前記駆動用マグネットを前記被ストッパー部として用いた
請求項１に記載の光ピックアップ。
【請求項３】
前記ストッパー突部を、前記フォーカス方向へ延びる基部と、該基部の前記フォーカス方向における一端部から前記基部に対して直交する方向へ突出され前記被ストッパー部に接触可能な規制突部とによって構成した
請求項１に記載の光ピックアップ。
【請求項４】
ディスク状記録媒体が装着されるディスクテーブルと、
前記ディスクテーブルに装着されるディスク状記録媒体の半径方向へ移動される移動ベースと該移動ベースに配置された対物レンズ駆動装置とを備えると共に前記ディスクテーブルに装着される前記ディスク状記録媒体に対してレーザー光を照射する光ピックアップとを備え、
前記対物レンズ駆動装置は、
前記移動ベースに固定された固定ブロックと、
二つの対物レンズと該二つの対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、
前記固定ブロックと前記可動ブロックを連結する複数の支持バネと、
前記可動ブロックを前記フォーカス方向又は前記トラッキング方向へ動作させる駆動用マグネットと、
前記駆動用マグネットに対向して位置され前記レンズホルダーに取り付けられた駆動用コイルとを備え、
前記二つの対物レンズは前記トラッキング方向に離隔した状態で前記レンズホルダーに保持され、
光源から出射されたレーザー光を前記二つの対物レンズにそれぞれ入射させるための二つの光路が形成され、
前記二つの対物レンズにそれぞれ前記レーザー光を折り曲げて入射させる立上ミラーを設け、
前記レンズホルダーに、前記レーザー光を立上ミラーへ入射させると共に少なくとも前記固定ブロックが位置する側と反対方向に開口された光路用開口を形成し、
前記二つの光路をそれぞれ通る各レーザー光が前記トラッキング方向に離隔した状態で前記光路用開口を通過して前記立上ミラーに入射され、
前記レンズホルダーに、前記可動ブロックの前記フォーカス方向への動作を規制すると共に前記立上ミラーに入射される二つのレーザー光の間に位置するストッパー突部を設け、
前記可動ブロックが前記フォーカス方向へ動作されたときに前記ストッパー突部に接触可能な被ストッパー部を設けた
ディスクドライブ装置。
【発明の詳細な説明】
【技術分野】
【０００１】
本発明は光ピックアップ及びディスクドライブ装置に関する。詳しくは、二つの光路の間に可動ブロックのフォーカス方向への動作を規制するストッパー突部を設けて小型化及び設計の自由度を確保した上で可動ブロックのフォーカス方向への不必要な動作を規制する技術分野に関する。
【背景技術】
【０００２】
光ディスクや光磁気ディスク等のディスク状記録媒体に対して情報信号の記録や再生を行うディスクドライブ装置があり、このようなディスクドライブ装置には、ディスク状記録媒体の半径方向へ移動され該ディスク状記録媒体に対してレーザー光を照射する光ピックアップが設けられている。
【０００３】
光ピックアップには対物レンズ駆動装置が設けられており、該対物レンズ駆動装置は、固定ブロックと該固定ブロックに金属製のワイヤー等の複数の支持バネを介して支持された可動ブロックとを備えている。
【０００４】
光ピックアップにおいては、対物レンズを保持するレンズホルダーを有する可動ブロックを固定ブロックに対して動作させてフォーカス調整及びトラッキング調整が行われる。フォーカス調整は、可動ブロックをディスク状記録媒体の記録面に離接する方向であるフォーカス方向へ動作させて行い、トラッキング調整は、可動ブロックをディスク状記録媒体の略半径方向であるトラッキング方向へ動作させて行う。フォーカス調整及びトラッキング調整が行われることにより、対物レンズを介してディスク状記録媒体に照射されるレーザー光のスポットがディスク状記録媒体の記録トラックに集光される。
【０００５】
このような光ピックアップに設けられた対物レンズ駆動装置には、可動ブロックをフォーカス方向へ動作させるためのフォーカス用磁気回路及び可動ブロックをトラッキング方向へ動作させるためのトラッキング用磁気回路が設けられている。フォーカス用磁気回路とトラッキング用磁気回路はそれぞれ駆動用コイルと駆動用マグネットを有している。
【０００６】
対物レンズ駆動装置は、可動ブロックと固定ブロックがフォーカス方向及びトラッキング方向にともに直交する方向であるタンジェンシャル方向に離隔した状態で支持バネによって連結されている。
【０００７】
光ピックアップがディスク状記録媒体の半径方向へ移動されるときには、対物レンズの下方に配置された立上ミラーに、レーザー光がレンズホルダーの固定ブロックに対向する面と反対側の面に形成された光路用開口を透過されて入射される。立上ミラーで反射されたレーザー光は対物レンズを介してディスク状記録媒体の記録面に照射される。このとき対物レンズを介してディスク状記録媒体に照射されたレーザー光のスポットがディスク状記録媒体の記録トラックに集光されるように、上記したフォーカス調整及びトラッキング調整が行われる。
【０００８】
対物レンズ駆動装置には、フォーカス調整時に可動ブロックのフォーカス方向への必要以上の過剰な動作を規制する必要があり、このフォーカス方向への過剰な動作を規制するストッパー突部がレンズホルダーに設けられているものがある（例えば、特許文献１参照）。
【０００９】
【特許文献１】特開２００８−４１１９６号公報
【発明の開示】
【発明が解決しようとする課題】
【００１０】
ところが、特許文献１に記載された光ピックアップにあっては、ストッパー突部（特許文献１にあっては「ストッパ片」）がレンズホルダーに取り付けられた駆動用コイルの両側、即ち、トラッキング方向における両端部に設けられている。
【００１１】
従って、可動ブロックがトラッキング方向に長くなり、対物レンズ駆動装置が大型になってしまうと言う問題がある。
【００１２】
また、近年、複数の種類のディスク状記録媒体に対応して二つの対物レンズがトラッキング方向に並んだ状態でレンズホルダーに保持されている対物レンズ駆動装置が普及しており、このような対物レンズ駆動装置にあっては、特に、トラッキング方向における長さが長く、一層の大型化を来たしてしまう。
【００１３】
そこで、従来の光ピックアップには、例えば、図７に示すように、対物レンズ駆動装置の可動ブロックａのレンズホルダーｂのトラッキング方向における中央部で固定ブロックｃに対向する側の端部に凹部ｄを形成し、該凹部ｄを可動ブロックａのフォーカス動作時のストッパーとして用いたものがある。このような光ピックアップにあっては、可動ブロックａのフォーカス方向への動作時に、凹部ｄに挿入されて可動ブロックａに接触可能とされる規制片ｅが設けられており、可動ブロックａが規制片ｅに接触されることによりフォーカス方向への動作が規制される。
【００１４】
しかしながら、凹部ｄを可動ブロックａのフォーカス動作時のストッパーとして用いた従来の光ピックアップにあっては、レンズホルダーｂの凹部ｄを形成した位置には駆動用コイルｆを取り付けることができないため、該駆動用コイルｆを凹部ｄに干渉しない位置、例えば、凹部ｄの下方側の位置にずらして取り付ける必要がある。
【００１５】
従って、レンズホルダーｂに対する駆動用コイルｆの取付位置が制約され、その分、駆動用コイルｆがレンズホルダーｂから突出して対物レンズ駆動装置が大型となったり、駆動用コイルｆの取付位置の自由度が損なわれ対物レンズ駆動装置の設計の自由度の低下を来たすと言う問題がある。
【００１６】
そこで、本発明光ピックアップ及びディスクドライブ装置は、上記した問題点を克服し、小型化及び設計の自由度を確保した上で可動ブロックのフォーカス方向への不必要な動作を規制することを課題とする。
【課題を解決するための手段】
【００１７】
光ピックアップは、上記した課題を解決するために、ディスクテーブルに装着されるディスク状記録媒体の半径方向へ移動される移動ベースと、前記移動ベースに配置された対物レンズ駆動装置とを備え、前記対物レンズ駆動装置は、前記移動ベースに固定された固定ブロックと、二つの対物レンズと該二つの対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置され前記レンズホルダーに取り付けられた駆動用コイルとを備え、前記二つの対物レンズは前記トラッキング方向に離隔した状態で前記レンズホルダーに保持され、光源から出射されたレーザー光を前記二つの対物レンズにそれぞれ入射させるための二つの光路が形成され、前記二つの対物レンズにそれぞれ前記レーザー光を折り曲げて入射させる立上ミラーを設け、前記レンズホルダーに、前記レーザー光を立上ミラーへ入射させると共に少なくとも前記固定ブロックが位置する側と反対方向に開口された光路用開口を形成し、前記二つの光路をそれぞれ通る各レーザー光が前記トラッキング方向に離隔した状態で前記光路用開口を通過して前記立上ミラーに入射され、前記レンズホルダーに、前記可動ブロックの前記フォーカス方向への動作を規制すると共に前記立上ミラーに入射される二つのレーザー光の間に位置するストッパー突部を設け、前記可動ブロックが前記フォーカス方向へ動作されたときに前記ストッパー突部に接触可能な被ストッパー部を設けたものである。
【００１８】
従って、光ピックアップにあっては、二つの光路の間でストッパー突部がフォーカス方向へ移動される。
【００１９】
上記した光ピックアップにおいては、前記駆動用マグネットを前記被ストッパー部として用いることが望ましい。
【００２０】
駆動用マグネットを被ストッパー部として用いることにより、被ストッパー部として専用の部材が不要となる。
【００２１】
また、上記した光ピックアップにおいては、前記ストッパー突部を、前記フォーカス方向へ延びる基部と、該基部の前記フォーカス方向における一端部から前記基部に対して直交する方向へ突出され前記被ストッパー部に接触可能な規制突部とによって構成することが望ましい。
【００２２】
ストッパー突部基部と規制突部によって構成することにより、規制突部と被ストッパー部の間に十分なストロークが形成される。
【００２３】
ディスクドライブ装置は、上記した課題を解決するために、ディスク状記録媒体が装着されるディスクテーブルと、前記ディスクテーブルに装着されるディスク状記録媒体の半径方向へ移動される移動ベースと該移動ベースに配置された対物レンズ駆動装置とを備えると共に前記ディスクテーブルに装着される前記ディスク状記録媒体に対してレーザー光を照射する光ピックアップとを備え、前記対物レンズ駆動装置は、前記移動ベースに固定された固定ブロックと、二つの対物レンズと該二つの対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置され前記レンズホルダーに取り付けられた駆動用コイルとを備え、前記二つの対物レンズは前記トラッキング方向に離隔した状態で前記レンズホルダーに保持され、光源から出射されたレーザー光を前記二つの対物レンズにそれぞれ入射させるための二つの光路が形成され、前記二つの対物レンズにそれぞれ前記レーザー光を折り曲げて入射させる立上ミラーを設け、前記レンズホルダーに、前記レーザー光を立上ミラーへ入射させると共に少なくとも前記固定ブロックが位置する側と反対方向に開口された光路用開口を形成し、前記二つの光路をそれぞれ通る各レーザー光が前記トラッキング方向に離隔した状態で前記光路用開口を通過して前記立上ミラーに入射され、前記レンズホルダーに、前記可動ブロックの前記フォーカス方向への動作を規制すると共に前記立上ミラーに入射される二つのレーザー光の間に位置するストッパー突部を設け、前記可動ブロックが前記フォーカス方向へ動作されたときに前記ストッパー突部に接触可能な被ストッパー部を設けたものである。
【００２４】
従って、ディスクドライブ装置にあっては、二つの光路の間でストッパー突部がフォーカス方向へ移動される。
【発明の効果】
【００２５】
本発明光ピックアップは、ディスクテーブルに装着されるディスク状記録媒体の半径方向へ移動される移動ベースと、前記移動ベースに配置された対物レンズ駆動装置とを備え、前記対物レンズ駆動装置は、前記移動ベースに固定された固定ブロックと、二つの対物レンズと該二つの対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置され前記レンズホルダーに取り付けられた駆動用コイルとを備え、前記二つの対物レンズは前記トラッキング方向に離隔した状態で前記レンズホルダーに保持され、光源から出射されたレーザー光を前記二つの対物レンズにそれぞれ入射させるための二つの光路が形成され、前記二つの対物レンズにそれぞれ前記レーザー光を折り曲げて入射させる立上ミラーを設け、前記レンズホルダーに、前記レーザー光を立上ミラーへ入射させると共に少なくとも前記固定ブロックが位置する側と反対方向に開口された光路用開口を形成し、前記二つの光路をそれぞれ通る各レーザー光が前記トラッキング方向に離隔した状態で前記光路用開口を通過して前記立上ミラーに入射され、前記レンズホルダーに、前記可動ブロックの前記フォーカス方向への動作を規制すると共に前記立上ミラーに入射される二つのレーザー光の間に位置するストッパー突部を設け、前記可動ブロックが前記フォーカス方向へ動作されたときに前記ストッパー突部に接触可能な被ストッパー部を設けている。
【００２６】
従って、ストッパー突部の存在によりレンズホルダーに対する駆動用コイルの取付位置が制約されることがなく、小型化及び設計の自由度の向上を確保した上で可動ブロックのフォーカス方向への不必要な動作を規制することができる。
【００２７】
請求項２に記載した発明にあっては、前記駆動用マグネットを前記被ストッパー部として用いたので、被ストッパー部として専用の部材を用いる不要がなく、部品点数の削減及び配置スペースの不要化による小型化を図ることができる。
【００２８】
請求項３に記載した発明にあっては、前記ストッパー突部を、前記フォーカス方向へ延びる基部と、該基部の前記フォーカス方向における一端部から前記基部に対して直交する方向へ突出され前記被ストッパー部に接触可能な規制突部とによって構成したので、規制突部と被ストッパー部の間に十分なストロークを形成することができ、薄型化を図ることができる。
【００２９】
本発明ディスクドライブ装置は、ディスク状記録媒体が装着されるディスクテーブルと、前記ディスクテーブルに装着されるディスク状記録媒体の半径方向へ移動される移動ベースと該移動ベースに配置された対物レンズ駆動装置とを備えると共に前記ディスクテーブルに装着される前記ディスク状記録媒体に対してレーザー光を照射する光ピックアップとを備え、前記対物レンズ駆動装置は、前記移動ベースに固定された固定ブロックと、二つの対物レンズと該二つの対物レンズを保持するレンズホルダーとを有し前記固定ブロックに対して少なくとも前記ディスク状記録媒体の記録面に離接する方向であるフォーカス方向及び前記ディスク状記録媒体の略半径方向であるトラッキング方向へ動作される可動ブロックと、前記固定ブロックと前記可動ブロックを連結する複数の支持バネと、前記可動ブロックを前記フォーカス方向又は前記トラッキング方向へ動作させる駆動用マグネットと、前記駆動用マグネットに対向して位置され前記レンズホルダーに取り付けられた駆動用コイルとを備え、前記二つの対物レンズは前記トラッキング方向に離隔した状態で前記レンズホルダーに保持され、光源から出射されたレーザー光を前記二つの対物レンズにそれぞれ入射させるための二つの光路が形成され、前記二つの対物レンズにそれぞれ前記レーザー光を折り曲げて入射させる立上ミラーを設け、前記レンズホルダーに、前記レーザー光を立上ミラーへ入射させると共に少なくとも前記固定ブロックが位置する側と反対方向に開口された光路用開口を形成し、前記二つの光路をそれぞれ通る各レーザー光が前記トラッキング方向に離隔した状態で前記光路用開口を通過して前記立上ミラーに入射され、前記レンズホルダーに、前記可動ブロックの前記フォーカス方向への動作を規制すると共に前記立上ミラーに入射される二つのレーザー光の間に位置するストッパー突部を設け、前記可動ブロックが前記フォーカス方向へ動作されたときに前記ストッパー突部に接触可能な被ストッパー部を設けている。
【００３０】
従って、ストッパー突部の存在によりレンズホルダーに対する駆動用コイルの取付位置が制約されることがなく、小型化及び設計の自由度の向上を確保した上で可動ブロックのフォーカス方向への不必要な動作を規制することができる。
【発明を実施するための最良の形態】
【００３１】
以下に、本発明光ピックアップ及びディスクドライブ装置の最良の形態を添付図面を参照して説明する。
【００３２】
ディスクドライブ装置１は、外筐２の内部に所要の各部材及び各機構が配置されて成り（図１参照）、外筐２には図示しないディスク挿入口が形成されている。
【００３３】
外筐２の内部には上下方向を向くシャーシ３が配置され、該シャーシ３に取り付けられたスピンドルモーター４のモーター軸にディスクテーブル５が固定されている。
【００３４】
シャーシ３には、平行なガイド軸６、６が取り付けられると共に図示しない送りモーターによって回転されるリードスクリュー７が支持されている。
【００３５】
光ピックアップ８は、移動ベース９と該移動ベース９に設けられた所要の光学部品と移動ベース９上に配置された対物レンズ駆動装置１０とを有し、移動ベース９の両端部に設けられた軸受部９ａ、９ｂがそれぞれガイド軸６、６に摺動自在に支持されている。
【００３６】
移動ベース９に設けられた図示しないナット部材がリードスクリュー７に螺合され、送りモーターによってリードスクリュー７が回転されると、ナット部材がリードスクリュー７の回転方向へ応じた方向へ送られ、光ピックアップ８がディスクテーブル５に装着されたディスク状記録媒体１００の半径方向へ移動される。
【００３７】
対物レンズ駆動装置１０は固定ブロック１１と該固定ブロック１１に対して動作される可動ブロック１２とを有し（図２参照）、移動ベース９に配置されている（図１参照）。
【００３８】
固定ブロック１１は移動ベース９に固定されている。固定ブロック１１の後面には回路基板１３、１３、１３が取り付けられている（図２参照）。
【００３９】
可動ブロック１２はレンズホルダー１４に所要の各部が取り付けられて成る（図３及び図４参照）。
【００４０】
レンズホルダー１４は上下方向を向くレンズ取付部１５と該レンズ取付部１５の後端部から下方へ突出されたコイル取付部１６とレンズ取付部１５の左右両端部からそれぞれ下方へ突出された側面部１７、１７とを有している。
【００４１】
レンズホルダー１４は、例えば、液晶ポリマー等の樹脂材料によって形成されている。レンズホルダー１４には前方に開口された光路用開口１４ａが形成されている（図３参照）。
【００４２】
レンズホルダー１４のレンズ取付部１５の全周にはコイル取付用溝１５ａが形成されている（図３及び図４参照）。コイル取付用溝１５ａには第１のフォーカス用コイル１８が取り付けられている。従って、第１のフォーカス用コイル１８は軸方向がフォーカス方向（上下方向）とされている。
【００４３】
レンズホルダー１４のレンズ取付部１５の上面には対物レンズ１９、２０が取り付けられて保持されている。対物レンズ１９、２０は左右方向（トラッキング方向）に離隔して配置され、種類の異なるディスク状記録媒体１００、例えば、レーザー光の使用波長が７８０ｎｍ付近であるＣＤ（Compact Disc）、使用波長が６６０ｎｍ付近であるＤＶＤ（Digital Versatile Disc）、使用波長が４０５ｎｍ付近であるブルーレイディスク（Blu-ray Disc）等に対応して設けられている。
【００４４】
レンズ取付部１５の左右方向における中央部の前端部からはストッパー突部２１が下方へ突出されている（図２及び図３参照）。ストッパー突部２１は上下に延びる基部２１ａと該基部２１ａの下端部から前方へ突出された規制突部２１ｂとから成り、基部２１ａの上端がレンズ取付部１５に連続されている。規制突部２１ｂはレンズ取付部１５の前面より前方へ突出されている。
【００４５】
対物レンズ１９、２０の下方には、移動ベース９上に立上ミラー２２が配置されている（図３参照）。立上ミラー２２は横倒しの三角柱状に形成され、図示しない光源から出射され光路用開口１４ａを介して入射されたレーザー光を反射面２２ａで反射して直角に折り曲げそれぞれ対物レンズ１９、２０に入射させる機能を有する。
【００４６】
立上ミラー２２は横長の形状に形成され、左半部に第１の光路を通った第１のレーザー光Ｒ１が入射され、右半部に第２の光路を通った第２のレーザー光Ｒ２が入射される。従って、第１のレーザー光Ｒ１と第２のレーザー光Ｒ２は左右に離隔した状態で光路用開口１４ａを介して立上ミラー２２に入射され、該立上ミラー２２の反射面２２ａで反射されて光路が９０°屈曲されそれぞれ対物レンズ１９、２０に入射される。
【００４７】
ストッパー突部２１は第１のレーザー光Ｒ１と第２のレーザー光Ｒ２の間に位置され、可動ブロック１２が後述するフォーカス方向、トラッキング方向及びチルト方向へ動作されたときに第１のレーザー光Ｒ１と第２のレーザー光Ｒ２に干渉しないようにされている。
【００４８】
レンズホルダー１４のコイル取付部１６の後面には、図４に示すように、チルト用コイル２３、２３、第２のフォーカス用コイル２４及びトラッキング用コイル２５、２５が取り付けられている。第２のフォーカス用コイル２４は第１のフォーカス用コイル１８とともに可動ブロック１２をフォーカス方向へ動作させるための駆動用コイルとして機能し、トラッキング用コイル２５、２５は可動ブロック１２をトラッキング方向へ動作させるための駆動用コイルとして機能する。
【００４９】
チルト用コイル２３、２３はコイル取付部１６の後面に左右に離隔して取り付けられている。チルト用コイル２３、２３はそれぞれ軸方向がタンジェンシャル方向（前後方向）とされている。
【００５０】
第２のフォーカス用コイル２４はコイル取付部１６の後面に、チルト用コイル２３、２３の一部を後方から覆うようにして取り付けられている。第２のフォーカス用コイル２４はそれぞれ軸方向がタンジェンシャル方向とされている。
【００５１】
トラッキング用コイル２５、２５はそれぞれ第２のフォーカス用コイル２４の左右両側に取り付けられている。トラッキング用コイル２５、２５はそれぞれ軸方向がタンジェンシャル方向とされている。
【００５２】
レンズホルダー１４のコイル取付部１６における左右両端部には、それぞれ接続基板２６、２６が取り付けられている。接続基板２６、２６の接続端子にはそれぞれ第１のフォーカス用コイル１８、第２のフォーカス用コイル２４、トラッキング用コイル２５、２５及びチルト用コイル２３、２３の各端部が接続されている。接続基板２６、２６には、図２に示すように、それぞれ支持バネ２７、２７、・・・の前端部が、例えば、半田付けによって接合されている。支持バネ２７、２７、・・・は、導電性金属材料によって、例えば、ワイヤー状に形成されている。
【００５３】
固定ブロック１１に取り付けられた回路基板１３、１３、１３にはそれぞれ支持バネ２７、２７、・・・の後端部が、例えば、半田付けによって接合されている。
【００５４】
上記のように支持バネ２７、２７、・・・の両端部が可動ブロック１２の接続基板２６、２６と固定ブロック１１の回路基板１３、１３、１３に接合されることにより、可動ブロック１２が支持バネ２７、２７、・・・によって固定ブロック１１と連結されて中空に保持される。
【００５５】
対物レンズ駆動装置１０にあっては、図示しない電源回路から回路基板１３、１３、１３、支持バネ２７、２７、・・・及び接続基板２６、２６を介してそれぞれ第１のフォーカス用コイル１８、第２のフォーカス用コイル２４、トラッキング用コイル２５、２５及びチルト用コイル２３、２３に駆動電流が供給される。
【００５６】
可動ブロック１２の前側には横長の第１のフォーカス用マグネット２８が配置されている（図２及び図３参照）。第１のフォーカス用マグネット２８は、例えば、移動ベース９の図示しない取付部に取り付けられ、光路用開口１４ａの上側で第１のフォーカス用コイル１８の前側に位置されている。
【００５７】
移動ベース９には磁性金属材料によって形成されたヨーク部材２９が配置されている（図２参照）。
【００５８】
ヨーク部材２９は上下方向を向くベース部２９ａと該ベース部２９ａから上方へ突出されたヨーク部２９ｂとを有している。
【００５９】
ヨーク部２９ｂの前面には第２のフォーカス用マグネット３０及びトラッキング用マグネット３１、３１がそれぞれ取り付けられている。第２のフォーカス用マグネット３０はトラッキング用マグネット３１、３１の間に位置されている。第２のフォーカス用マグネット３０は第１のフォーカス用マグネット２８とともに可動ブロック１２をフォーカス方向へ動作させるための駆動用マグネットとして機能し、トラッキング用マグネット３１、３１は可動ブロック１２をトラッキング方向へ動作させるための駆動用マグネットとして機能する。
【００６０】
ヨーク部材２９には図示しないチルト用マグネットが取り付けられている。
【００６１】
第２のフォーカス用マグネット３０は第２のフォーカス用コイル２４に対向して位置され、トラッキング用マグネット３１、３１はそれぞれトラッキング用コイル２５、２５に対向して位置され、チルト用マグネットはそれぞれチルト用コイル２３、２３に対向して位置される。
【００６２】
尚、対物レンズ駆動装置１０にあっては、専用のチルト用マグネットが設けられていない構成であってもよく、例えば、第２のフォーカス用マグネット３０がチルト用マグネットを兼用する構成とすることが可能である。この場合には、チルト用コイル２３、２３はチルト用マグネットを兼用する第２のフォーカス用マグネット３０に対向して位置される。
【００６３】
第１のフォーカス用コイル１８と第２のフォーカス用コイル２４と第１のフォーカス用マグネット２８と第２のフォーカス用マグネット３０とヨーク部材２９によってフォーカス用磁気回路が構成される。トラッキング用コイル２５、２５とトラッキング用マグネット３１、３１とヨーク部材２９によってトラッキング用磁気回路が構成される。チルト用コイル２３、２３とチルト用マグネットとヨーク部材２９によってチルト用磁気回路が構成される。
【００６４】
図示しない電源回路から第１のフォーカス用コイル１８、第２のフォーカス用コイル２４、トラッキング用コイル２５、２５又はチルト用コイル２３、２３に駆動電流が供給されると、これらの駆動電流の向きと第１のフォーカス用マグネット２８、第２のフォーカス用マグネット３０、トラッキング用マグネット３１、３１又はチルト用マグネットにより発生する磁束の方向とに応じた向きの力（推力）が発生し、可動ブロック１２がフォーカス方向、トラッキング方向又はチルト方向へ動作される。
【００６５】
フォーカス方向はディスク状記録媒体１００に離接する方向（図２に示すＦ方向）、即ち、上下方向であり、トラッキング方向はディスク状記録媒体１００の半径方向（図２に示すＴＲ方向）、即ち、左右方向であり、チルト方向はフォーカス方向及びトラッキング方向にともに直交する方向（タンジェンシャル方向）、即ち、前後方向に延びる軸の軸回り方向（図２に示すＴＩ方向）である。
【００６６】
可動ブロック１２がフォーカス方向、トラッキング方向又はチルト方向へ動作されるときには、支持バネ２７、２７、・・・が弾性変形される。
【００６７】
移動ベース９には被ストッパー部３２が設けられている（図５参照）。被ストッパー部３２は、対物レンズ駆動装置１０の可動ブロック１２がフォーカス方向へ移動されたときに、可動ブロック１２に設けられたストッパー突部２１の規制突部２１ｂに接触可能な位置に配置されている。被ストッパー部３２として、例えば、移動ベース９にストッパー部材を配置することにより用いてもよく、また、例えば、対物レンズ駆動装置１０の一部を上方側から閉塞するカバーを設け、該カバーの一部を用いてもよい。
【００６８】
被ストッパー部３２は、例えば、図５に示すように、少なくとも後方に開口された凹状部３２Ａとして形成されている。従って、可動ブロック１２がフォーカス方向へ移動されたときには、ストッパー突部２１の規制突部２１ｂが凹状部３２Ａを形成する上側の壁面３２ａ又は下側の壁面３２ｂに接触することにより、可動ブロック１２のフォーカス方向への必要以上の過剰な動作が規制される。
【００６９】
以上のようにして構成されたディスクドライブ装置１において、スピンドルモーター４の回転に伴ってディスクテーブル５が回転されると、該ディスクテーブル５に装着されたディスク状記録媒体１００が回転され、同時に、光ピックアップ８がディスク状記録媒体１００の半径方向へ移動されて該ディスク状記録媒体１００に対する記録動作又は再生動作が行われる。
【００７０】
この記録動作及び再生動作において、第１のフォーカス用コイル１８及び第２のフォーカス用コイル２４に駆動電流が供給されると、上記したように、対物レンズ駆動装置１０の可動ブロック１２が固定ブロック１１に対して図２に示すフォーカス方向Ｆ−Ｆへ動作され、対物レンズ１９、２０を介して照射されるレーザー光のスポットがディスク状記録媒体１００の記録面に集光するようにフォーカス調整が行われる。
【００７１】
フォーカス調整が行われるときには、レンズホルダー１４に設けられたストッパー突部２１の規制突部２１ｂが被ストッパー部３２に接触可能とされている。従って、ストッパー突部２１の規制突部２１ｂが被ストッパー部３２に接触されることにより、可動ブロック１２のフォーカス方向への必要以上の過剰な動作が規制される。
【００７２】
トラッキング用コイル２５、２５に駆動電流が供給されると、上記したように、対物レンズ駆動装置１０の可動ブロック１２が固定ブロック１１に対して図２に示すトラッキング方向ＴＲ−ＴＲへ動作され、対物レンズ１９、２０を介して照射されるレーザー光のスポットがディスク状記録媒体１００の記録トラック上に集光するようにトラッキング調整が行われる。
【００７３】
さらに、チルト用コイル２３、２３に駆動電流が供給されると、上記したように、対物レンズ駆動装置１０の可動ブロック１２が固定ブロック１１に対して図２に示すチルト方向ＴＩ−ＴＩへ動作され、対物レンズ１９、２０を介して照射されるレーザー光の光軸がディスク状記録媒体１００の記録面に垂直となるようにチルト調整が行われる。
【００７４】
上記には、被ストッパー部３２として、移動ベース９に配置したストッパー部材又は対物レンズ駆動装置１０の一部を上方側から閉塞するカバーの一部を用いた例を示したが、被ストッパー部３２として、例えば、第１のフォーカス用マグネット２８を用いることも可能である（図６参照）。
【００７５】
被ストッパー部３２として第１のフォーカス用マグネット２８を用いることにより、被ストッパー部３２として専用の部材を用いる不要がなく、光ピックアップ８の部品点数の削減及び配置スペースの不要化による小型化を図ることができる。
【００７６】
尚、被ストッパー部３２として第１のフォーカス用マグネット２８を用いた場合には、フォーカス方向における一方（上方）の可動ブロック１２の動作を、ストッパー突部２１の規制突部２１ｂを第１のフォーカス用マグネット２８の下面に接触させることにより規制することができる。フォーカス方向における他方（下方）の可動ブロック１２の動作の規制は、例えば、可動ブロック１２の下端が移動ベース９に接触可能とすることにより行うことができる。
【００７７】
対物レンズ駆動装置１０にあっては、上記したように、ストッパー突部２１が上下に延びる基部２１ａと該基部２１ａの下端部から前方へ突出された規制突部２１ｂとによって構成されている。このようにストッパー突部２１に上下に延びる基部２１ａを設けることにより、規制突部２１ｂと被ストッパー部３２の間に十分なストロークＳ（図６には被ストッパー部３２として第１のフォーカス用マグネット２８を用いた例を示している。）を形成することができ、対物レンズ駆動装置１０の薄型化を図ることができる。
【００７８】
以上に記載した通り、光ピックアップ８にあっては、対物レンズ駆動装置１０の可動ブロック１２に、立上ミラー２２に入射される第１のレーザー光Ｒ１と第２のレーザー光Ｒ２の間に位置するストッパー突部２１を設け、可動ブロック１２のフォーカス方向における必要以上の過剰な動作を規制している。
【００７９】
従って、ストッパー突部２１の存在によりレンズホルダー１４に対する駆動用コイルの取付位置が制約されることがなく、対物レンズ駆動装置１０の小型化及び設計の自由度の向上を確保した上で可動ブロック１２のフォーカス方向への不必要な動作を規制することができる。
【００８０】
尚、上記には、可動ブロック１２がフォーカス方向へ動作されたときのストッパー（ストッパー突部２１）についてのみ説明したが、対物レンズ駆動装置１０には可動ブロック１２がトラッキング方向へ動作されたときの必要以上の過剰な動作を規制するためのストッパーも設けられている。
【００８１】
可動ブロック１２がトラッキング方向へ動作されたときの過剰な動作を規制するためのストッパーは、例えば、可動ブロック１２のレンズホルダー１４における側面部１７、１７にそれぞれ外方へ突出されて設けられた図示しない突起が用いられる。可動ブロック１２のトラッキング方向への過剰な動作の規制は、例えば、側面部１７、１７に設けられた突起が、移動ベース９の一部に接触することにより行われる。
【００８２】
尚、上記には、チルト用コイル２３、２３に駆動電流が供給されたときにチルト調整が行われる例を示したが、対物レンズ駆動装置１０にあっては、専用のチルト用磁気回路を有さず、チルト用磁気回路がフォーカス用磁気回路又はトラッキング用磁気回路と兼用されている構成とすることも可能である。例えば、フォーカス用磁気回路がチルト用磁気回路と兼用される構成とした場合には、第１のフォーカス用コイル１８と第２のフォーカス用コイル２４に逆方向への駆動電流が供給されることにより、可動ブロック１２が固定ブロック１１に対して図２に示すチルト方向ＴＩ−ＴＩへ動作されてチルト調整が行われる。
【００８３】
また、上記には、対物レンズ駆動装置１０がフォーカス調整及びトラッキング調整の他、チルト調整も行う場合を示したが、例えば、対物レンズ駆動装置１０は、チルト調整機構を有さず、フォーカス調整及びトラッキング調整のみを行うものであってもよい。
【００８４】
上記には、フォーカス方向を上下方向、トラッキング方向を左右方向、タンジェンシャル方向を前後方向として説明したが、これらの方向は説明の便宜上、例として示したものであり、特にこれらの方向に限定されることはない。
【００８５】
上記した発明を実施するための最良の形態において示した各部の具体的な形状及び構造は、何れも本発明を実施する際の具体化のほんの一例を示したものにすぎず、これらによって本発明の技術的範囲が限定的に解釈されることがあってはならないものである。
【図面の簡単な説明】
【００８６】
【図１】図２乃至図６と共に本発明光ピックアップ及びディスクドライブ装置を実施するための最良の形態を示すものであり、本図はディスクドライブ装置の概略斜視図である。
【図２】対物レンズ駆動装置の拡大斜視図である。
【図３】可動ブロックを立上ミラーとともに示す拡大斜視図である。
【図４】可動ブロックを図３とは反対側から見た状態で示す拡大斜視図である。
【図５】可動ブロックと被ストッパー部を示す拡大断面図である。
【図６】可動ブロックと被ストッパー部として機能する第１のフォーカス用マグネットを示す拡大断面図である。
【図７】従来の対物レンズ駆動装置を示す拡大斜視図である。
【符号の説明】
【００８７】
１…ディスクドライブ装置、５…ディスクテーブル、８…光ピックアップ、９…移動ベース、１０…対物レンズ駆動装置、１１…固定ブロック、１２…可動ブロック、１４…レンズホルダー、１４ａ…光路用開口、１８…第１のフォーカス用コイル（駆動用コイル）、１９…対物レンズ、２０…対物レンズ、２１…ストッパー突部、２１ａ…基部、２１ｂ…規制突部、２２…立上ミラー、２４…第２のフォーカス用コイル（駆動用コイル）、２５…トラッキング用コイル（駆動用コイル）、２７…支持バネ、２８…第１のフォーカス用マグネット（駆動用マグネット）、３０…第２のフォーカス用マグネット（駆動用マグネット）、３１…トラッキング用マグネット（駆動用マグネット）、３２…被ストッパー部、Ｒ１…第１のレーザー光、Ｒ２…第２のレーザー光、１００…ディスク状記録媒体
【図１】
0005024184.tif 000002
【図２】
0005024184.tif 000003
【図３】
0005024184.tif 000004
【図４】
0005024184.tif 000005
【図５】
0005024184.tif 000006
【図６】
0005024184.tif 000007
【図７】
0005024184.tif 000008